(57)【要約】【課題】制御基板のＲＯＭのみを交換する際に、容易かつ確実に交換を行うことができる制御基板ユニットを提供する。【解決手段】ガイド溝７３Ｂを有する二個のガイド板７３を外装箱６１に設けた挿入口６１Ａを挟んで回動自在に取り付け、データ格納部材３５の突起３５Ａをガイド溝７３Ｂの開放部Ｕに係合させ、レスライドレバー７２を操作してガイド板７３を回動させることにより、ガイド溝７３Ｂに係合した突起３５Ａの位置移動に伴いデータ格納部材３５が挿入口６１Ａ側にスライド移動して、基板６２に設けた基板接続部６３とデータ格納部材３５の接続部とが接続し、データ格納部材３５が装着される。【選択図】図４
2008272279.tif 000002
【特許請求の範囲】
【請求項１】
外装箱と、この外装箱に収納される基板とを備え、所定のデータを記憶した記憶装置を内蔵するデータ格納部材を装着可能な制御基板ユニットにおいて、
前記データ格納部材は、一方の端部に外部接続部を有し、この外部接続部の反対側の端部側には両側面に突出する突起を備え、
前記基板は、前記データ格納部材の外部接続部と接続可能な基板接続部を有し、
前記外装箱は、前記基板接続部に対応する位置に、前記データ格納部材を挿入可能な挿入口を有するとともに、前記挿入口を挟んで位置し前記データ格納部材の挿入方向と直交する方向に設けられた回動軸に回動自在に取り付けられる二個のガイド板を備え、
前記ガイド板は、前記データ格納部材の突起と係合可能なガイド溝を有し、このガイド溝は、一方の端部に開放部を有し他方の端部は前記回動軸の近傍に位置するとともに、前記開放部から前記回動軸方向に向かって前記回動軸からの距離が徐々に短くなるよう湾曲して形成され、
前記ガイド板は、前記データ格納部材の非装着時には、前記開放部が手前側に位置するよう設置されるとともに、前記データ格納部材の突起を前記開放部に係合させた状態で前記外部接続部が前記挿入口に挿入される位置に設置され、
前記データ格納部材の突起を前記ガイド溝の開放部に係合させ、前記ガイド板を回動させることにより、前記ガイド溝に係合した前記突起の位置移動に伴い前記データ格納部材が前記挿入口側にスライド移動し、前記外部接続部と前記基板接続部とが接続して前記データ格納部材を装着可能に形成されていることを特徴とする制御基板ユニット。
【請求項２】
前記ガイド板を回動させるための操作手段を設けたことを特徴とする請求項１記載の制御基板ユニット。
【請求項３】
複数機種に共通して使用可能な非交換部材を備え遊技場に据え置かれる本体部と、遊技機の機種毎に対応する交換部材を搭載し前記本体部に着脱自在に取り付けられる分離ユニットから構成され、前記本体部は、前記非交換部材として、音声画像その他の表示方法により演出表示を行うための演出表示装置と、前記演出表示装置の作動を制御するための演出制御基板ユニットとを少なくとも備え、前記分離ユニットは、前記交換部材として、複数の図柄を変動表示及び停止表示可能な図柄表手段を有するリールユニットと、前記リールユニットの作動を制御するとともに、抽選、遊技機の作動その他の遊技内容に関する制御を行うための主基板ユニットとを少なくとも備える遊技機において、
前記演出制御基板ユニットは、外装箱と、この外装箱に収納される基板とを備え、機種に対応する演出データを記憶した記憶装置を内蔵するデータ格納部材を装着可能であり、
前記データ格納部材は、前記分離ユニットに着脱自在に搭載されており、一方の端部に外部接続部を有し、この外部接続部の反対側の端部側には両側面に突出する突起を備え、
前記基板は、前記データ格納部材の外部接続部と接続可能な基板接続部を有し、
前記外装箱は、前記基板接続部に対応する位置に、前記データ格納部材を挿入可能な挿入口を有するとともに、前記挿入口を挟んで位置し前記データ格納部材の挿入方向と直交する方向に設けられた回動軸に回動自在に取り付けられる二個のガイド板を備え、
前記ガイド板は、前記データ格納部材の突起と係合可能なガイド溝を有し、このガイド溝は、一方の端部に開放部を有し他方の端部は前記回動軸の近傍に位置するとともに、前記開放部から前記回動軸方向に向かって前記回動軸からの距離が徐々に短くなるよう湾曲して形成され、
前記ガイド板は、前記データ格納部材の非装着時には、前記開放部が手前側に位置するよう設置されるとともに、前記データ格納部材の突起を前記開放部に係合させた状態で前記外部接続部が前記挿入口に挿入される位置に設置され、
前記分離ユニットから取り外した前記データ格納部材の突起を前記ガイド溝の開放部に係合させ、前記ガイド板を回動させることにより、前記ガイド溝に係合した前記突起の位置移動に伴い前記データ格納部材が前記挿入口側にスライド移動し、前記外部接続部と前記基板接続部とが接続して前記データ格納部材を装着可能に形成されていることを特徴とする遊技機。
【発明の詳細な説明】
【技術分野】
【０００１】
この発明は、分離型スロットマシンなどの、遊技装置と制御基板とを一体に取り扱い可能とした分離ユニットを、遊技機の筐体に対して着脱自在かつ交換可能とした遊技機と、その遊技機に用いられる制御基板ユニットに関するものである。
【背景技術】
【０００２】
従来、資源の有効利用、遊技機交換作業の簡易化及び経費節減の観点から、回転リール及び制御基板を支持体に搭載した分離ユニットを、遊技機の筐体から着脱自在に形成した分離型スロットマシンが考案されている。そして特許文献１に示すように、この分離型スロットマシンの着脱作業を容易にするため、筐体側の内装部材と分離ユニット側の搭載部品との間の電気的接続が、着脱作業と同時に行われるようにした技術も考案されている。
【特許文献１】特開２００５−３４２１９６号公報
【発明の開示】
【発明が解決しようとする課題】
【０００３】
上記したような分離型遊技機においては、交換側に配置される部品点数を極力少なくして、交換作業にかかる労力を軽減し交換費用をより削減することが求められる。例えば、演出表示部として液晶表示装置を用いた遊技機の場合には、液晶画面に表示される動画等の演出内容が変更されれば、装置自体は交換する必要がない。同様に、遊技機の正面に設けられる装飾ランプ等の電飾装置も、遊技機のデザインが大幅に変更される場合以外には、複数の機種に共通して使用可能である。しかし、従来の分離型遊技機においては、演出装置を制御する制御装置（制御基板）も交換側に配置されていた。
上記問題点を解決すべく、複数機種に共通して使用可能な演出装置を筐体側に据え置くようにし、演出装置に行わせる演出内容のみを変更することが考えられる。すなわち、演出制御装置（制御基板）のうち、演出装置を作動させるための部分は演出装置とともに筐体側に残し、演出データを記憶したＲＯＭ（ＲＯＭを搭載したカセット）のみを交換するものである。このように形成した場合には、交換作業を効率的にするために迅速な着脱方法が求められ、何度も着脱される演出制御装置のＲＯＭ装着部の損傷を防ぐ必要もある。
【０００４】
そこで、本願発明のうち、請求項１及び２記載の発明は、制御基板に装着されるＲＯＭカセット等のデータ格納部材のみを交換する際に、容易かつ確実に交換を行うことができる制御基板ユニットを提供することを目的とし、請求項３記載の発明は、請求項１記載の制御基板ユニットを備えた遊技機を提供することを目的とする。
【課題を解決するための手段】
【０００５】
各請求項に記載された発明は、上記した各目的を達成するためになされたものであり、本発明の特徴点を図面に示した発明の実施の形態を用いて、以下に説明する。
なお、括弧内の符号は、発明の実施の形態において用いた符号を示し、本発明の技術的範囲を限定するものではない。
（請求項１）
（特徴点）
請求項１記載の発明は、次の点を特徴とする。
すなわち、請求項１記載の発明は、外装箱（基板ケース61）と、この外装箱(61)に収納される基板（プリント基板62）とを備え、所定のデータを記憶した記憶装置（ＲＯＭチップ36）を内蔵するデータ格納部材（ＲＯＭカセット35）を装着可能な制御基板ユニット（演出制御基板ユニット60）に係る。前記データ格納部材(35)は、一方の端部に外部接続部（カセットコネクタ352）を有し、この外部接続部(352)の反対側の端部側には両側面に突出する突起（円柱突起351）を備えている。前記基板(62)は、前記データ格納部材(35)の外部接続部(352)と接続可能な基板接続部（基板コネクタ63）を有している。  また、前記外装箱(61)は、前記基板接続部(63)に対応する位置に、前記データ格納部材(35)を挿入可能な挿入口（カセット挿入口61A）を有するとともに、前記挿入口(61A)を挟んで位置し前記データ格納部材(35)の挿入方向と直交する方向に設けられた回動軸（ピン75）に回動自在に取り付けられる二個のガイド板（ガイドプレート73）を備えている。さらに、前記ガイド板(73)は、前記データ格納部材(35)の突起(351)と係合可能なガイド溝(73B)を有し、このガイド溝(73B)は、一方の端部に開放部(U)を有し他方の端部は前記回動軸(75)の近傍に位置するとともに、前記開放部(U)から前記回動軸(75)方向に向かって前記回動軸(75)からの距離が徐々に短くなるよう湾曲して形成されている。
【０００６】
ここで、前記基板(62)は、ＲＯＭ、ＲＡＭ、Ｉ／Ｏなどを搭載した回路基板であり、例えば遊技機の演出装置（ランプやスピーカなど）を作動させる制御を行うものである。また、前記データ格納部材(35)は、記憶装置(36)を内蔵したカセット部材であり、記憶装置(36)には、基板(62)が所定の装置を作動させる内容（演出パターンなど）についてのデータが記憶されている。このデータは、外部接続部(352)と基板接続部(63)とが接続されることにより、基板(62)が読み取り可能となる。
前記挿入口(61A)は、データ格納部材(35)の少なくとも外部接続部(352)側を差し込み可能な横幅及び高さを有する開口部であって、外装箱(61)の表面に設けられた横長の開口部とすることができる。
【０００７】
前記ガイド板(73)は、例えば円形の板部材とすることができ、挿入口(61A)が横長の開口である場合には挿入口(61A)の左右の端部付近に取り付けることができる。また挿入口(61A)が縦長の開口である場合には挿入口(61A)の上下の端部付近に取り付けることができる。ガイド板(73)を軸支する回動軸(75)は、外装箱(61)に設けてもよいし、外装箱(61)に固定された支持部材(71)に設けてもよい。「データ格納部材(35)の挿入方向と直交する方向」とは、外装箱(61)の挿入口(61A)が形成されている面と対峙したときの左右方向及び上下方向の双方を含む。
前記ガイド溝(73B)は、ガイド板(73)の外周端部から回動軸(75)の周囲に沿うような円弧を描いて延びる略Ｓ字型の凹部又は開口部とすることができる。
【０００８】
また、前記ガイド板(73)は、前記データ格納部材(35)の非装着時には、前記開放部(U)が手前側に位置するよう設置されるとともに、前記データ格納部材(35)の突起(351)を前記開放部(U)に係合させた状態で前記外部接続部(352)が前記挿入口(61A)に挿入される位置に設置される。そして、本発明は、前記データ格納部材(35)の突起(351)を前記ガイド溝(73B)の開放部(U)に係合させ、前記ガイド板(73)を回動させることにより、前記ガイド溝(73B)に係合した前記突起(351)の位置移動に伴い前記データ格納部材(35)が前記挿入口(61A)側にスライド移動し、前記外部接続部(352)と前記基板接続部(63)とが接続して前記データ格納部材(35)を装着可能に形成されていることを特徴とする。
【０００９】
（作用）
本発明において、データ格納部材(35)を制御基板ユニット(60)に装着する場合には、二つのガイド板(73)のそれぞれのガイド溝(73B)の開放部(U)にデータ格納部材(35)の突起(351)を係合させ、外部接続部(352)側を挿入口(61A)に挿入させる。ここで、挿入口(61A)が横長の開口部でありガイド板(73)が挿入口(61A)の左右に設けられている場合（ガイド板(73)が上下に回動可能に取り付けられている場合）には、このとき、データ格納部材(35)は、挿入口(61A)の下縁部とガイド溝(73B)の開放部(U)に支持されて水平状態になる。次にガイド板(73)を回動軸(75)を中心に回動させる。ガイド板(73)を回動させるには、例えばガイド板(73)に形成された取手やガイド板(73)に一体的に形成された操作レバー（スライドレバー72）を用いることができる。
【００１０】
ガイド板(73)の回動に伴いガイド溝(73B)が位置変化するが（図１０（Ｂ）参照）、データ格納部材(35)は外部接続部(352)側が挿入口(61A)に支持されているので水平状態を維持している。このため、突起(351)はガイド溝(73B)に引き寄せられるように位置移動し、データ格納部材(35)は挿入口(61A)側にスライドする。そして、ガイド板(73)を規定の角度だけ回動させることにより、外部接続部(352)が基板接続部(63)と完全に接続され、データ格納部材(35)が制御基板ユニット(60)に装着される。
ここで、データ格納部材(35)を挿入口(61A)に引き寄せる場合のガイド板(73)の回動方向は、ガイド溝(73B)の形状によって異なる。すなわち、ガイド板(73)が上下に回動可能に形成されている場合には、開放部(U)と反対側の端部が回動軸(75)よりも上側となるようガイド溝(73B)を形成すれば、ガイド板(73)を上方から下方に回動させることでデータ格納部材(35)を引き寄せることができ、逆に、開放部(U)と反対側の端部が回動軸(75)よりも下側となるようガイド溝(73B)を形成すれば、ガイド板(73)を下方から上方に回動させることでデータ格納部材(35)を引き寄せることができる。
【００１１】
制御基板ユニット(60)に装着されているデータ格納部材(35)を取り外す場合には、装着時と反対方向にガイド板(73)を回動させれば、突起(351)がガイド溝(73B)の位置変化に伴い挿入口(61A)から離れる方向に移動し、データ格納部材(35)は挿入口(61A)と逆方向にスライドする。ガイド板(73)を、ガイド溝(73B)の開放部(U)が手前側に位置するまで、逆方向に回動させたときには、外部接続部(352)と基板接続部(63)との接続が解除され、データ格納部材(35)を制御基板ユニット(60)から取り外し可能となる。
本発明によれば、データ格納部材(35)をガイド板(73)に支持させてガイド板(73)を回動させることにより、外部接続部(352)と基板接続部(63)が確実に接続される位置まで、データ格納部材(35)が誘導されるようにしてあるので、データ格納部材(35)を確実に装着することができる。また、ガイド板(73)の回転力を利用してデータ格納部材(35)を着脱するようにしてあるので、余計な力をかけずに作業を行うことができる。またデータ格納部材(35)に均等に力を掛けることができるので、装着時に接続部の端子が破損することもない。
【００１２】
なお、装着したデータ格納部材(35)が不正に取り替えられることのないよう、データ格納部材(35)と外装箱(61)との間に所定の封印を施すと好適である。
（請求項２）
（特徴点）
請求項２記載の発明は、上記した請求項１記載の発明の特徴点に加え、次の点を特徴とする。
すなわち、請求項２記載の発明は、前記ガイド板(73)を回動させるための操作手段（スライドレバー72）を設けたことを特徴とする。
【００１３】
本発明は、ガイド板(73)の回動を容易に行えるようにしたものである。
前記操作手段(72)は、ガイド板(73)に形成されていてもよいし、ガイド板(73)とは別個に設けられ、かつガイド板(73)と一体に回動するように形成されていてもよい。例えば、二つのガイド板(73)の外側に固定されるアーム部(73B)を有する門型のレバーとすることができる。
（請求項３）
（特徴点）
請求項３記載の発明は、次の点を特徴とする。
【００１４】
すなわち、請求項３記載の発明は、複数機種に共通して使用可能な非交換部材を備え遊技場に据え置かれる本体部（筐体１，前扉３）と、遊技機の機種毎に対応する交換部材を搭載し前記本体部(1,3)に着脱自在に取り付けられる分離ユニット(2)から構成され、前記本体部(1,3)は、前記非交換部材として、音声画像その他の表示方法により演出表示を行うための演出表示装置と、前記演出表示装置の作動を制御するための演出制御基板ユニット(60)とを少なくとも備え、前記分離ユニット(2)は、前記交換部材として、複数の図柄を変動表示及び停止表示可能な図柄表手段（回転リール40）を有するリールユニット(20)と、前記リールユニット(20)の作動を制御するとともに、抽選、遊技機の作動その他の遊技内容に関する制御を行うための主基板ユニット(50)とを少なくとも備える遊技機に係る。
【００１５】
そして、前記演出制御基板ユニット(60)は、外装箱(61)と、この外装箱(61)に収納される基板(62)とを備え、機種に対応する演出データを記憶した記憶装置(36)を内蔵するデータ格納部材(35)を装着可能であり、前記データ格納部材(35)は、前記分離ユニット(2)に着脱自在に搭載されている。データ格納部材(35)は、一方の端部に外部接続部(352)を有し、この外部接続部(352)の反対側の端部側には両側面に突出する突起(351)を備えている。前記基板(62)は、前記データ格納部材(35)の外部接続部(352)と接続可能な基板接続部(63)を有し、前記外装箱(61)は、前記基板接続部(63)に対応する位置に、前記データ格納部材(35)を挿入可能な挿入口(61A)を有するとともに、前記挿入口(61A)を挟んで位置し前記データ格納部材(35)の挿入方向と直交する方向に設けられた回動軸(75)に回動自在に取り付けられる二個のガイド板(73)を備えている。前記ガイド板(73)は、前記データ格納部材(35)の突起(351)と係合可能なガイド溝(73B)を有し、このガイド溝(73B)は、一方の端部に開放部(U)を有し他方の端部は前記回動軸(75)の近傍に位置するとともに、前記開放部(U)から前記回動軸(75)方向に向かって前記回動軸(75)からの距離が徐々に短くなるよう湾曲して形成されている。そして、前記ガイド板(73)は、前記データ格納部材35)の非装着時には、前記開放部(U)が手前側に位置するよう設置されるとともに、前記データ格納部材(35)の突起(351)を前記開放部(U)に係合させた状態で前記外部接続部(352)が前記挿入口(61A)に挿入される位置に設置され、前記分離ユニット(2)から取り外した前記データ格納部材(35)の突起(351)を前記ガイド溝(73B)の開放部(U)に係合させ、前記ガイド板(73)を回動させることにより、前記ガイド溝(73B)に係合した前記突起(351)の位置移動に伴い前記データ格納部材(35)が前記挿入口(61A)側にスライド移動し、前記外部接続部(352)と前記基板接続部(63)とが接続して前記演出基板ユニット(60)に前記データ格納部材(35)を装着可能に形成されていることを特徴とする。
【００１６】
本発明は、請求項１に記載の制御基板ユニットを備えた遊技機である。本発明に係る遊技機は、遊技場に設置される遊技機であって、例えばスロットマシンに適している。遊技機としては、上記構成の他に、遊技機の主電源を入れるための電源ユニット(4)や、メダルなどの遊技媒体を払い出すための払い出し装置（ホッパーユニット５）を備えていてもよい。
ここで、「本体部」とは、遊技機の遊技場に据え置かれる部分であって、筐体(1)や筐体(1)に取り付けられる前扉(3)あるいは前扉(3)の骨組み部分を含む。
前記分離ユニット(2)は、リールユニット(20)及び主基板(51)を一体的に取り扱い可能とするための支持体(21)を備えたものとすることができ、上記構成の他にも、例えば分離ユニット(2)を筐体(1)に収納固定したときに筐体(1)の開口部(11)の一部（例えば開口上部）を塞ぐことができる扉体や、前扉(3)に形成された透視部(41)から視認可能となるパネルユニット(30)などを備えていてもよい。
【００１７】
また、前記「図柄表示手段」は、リールテープに複数の図柄を表示し駆動モータによって回転する回転リール(23)や、表示画面に画像としての図柄を変動表示又は停止表示可能な液晶表示装置とすることができる。すなわち、リール装置を搭載していなくても、前記したような図柄表示手段を備えていればリールユニット(20)に含まれるものである。
前記主基板ユニット(50)は、交換部材のうち主としてリールユニット(20)などの遊技装置の作動を制御するための制御装置として機能するものである。具体的には、スロットマシン(S)の場合には、複数の図柄配列からなる当選役の抽選処理を行なったり、スタートスイッチ(42B)及びストップスイッチ(42C)の操作信号に基づく回転リール(23)の回転及び回転停止処理を行なったり、回転リール(23)の図柄の停止位置から入賞の有無を判定し、入賞の場合にはホッパーユニット(5)を作動させてメダルを払い出したりするためのものである。主基板ユニット(50)は、例えば分離ユニット(2)の支持体(21)の上面部に固定することができる。
【００１８】
前記演出制御基板ユニット(60)は、所定の演出データに基づいて本体部に据え置かれる演出装置(スピーカ47,液晶表示装置48)の作動を制御するための制御装置として機能するものであって、例えば液晶表示装置(48)の液晶画面の表示制御を行うための制御基板ユニットが含まれる。演出制御基板ユニット(60)は、筐体(1)に配置されていてもよいし、前扉(3)に配置されていてもよい。なお、演出制御基板ユニット(60)の機構的構成は、請求項１の説明において述べた「制御基板ユニット」と同様である。
本発明においては、演出データを記憶したデータ格納部材(35)を分離ユニット(2)に着脱自在に取り付けてある。遊技機の機種交換の際には、分離ユニット(2)を新しい機種に対応した分離ユニット(2)に取り替えるとともに、演出制御基板ユニット(60)に装着されている旧機種用のデータ格納部材(35)を取り外して、代わりに新しい機種に対応したデータ格納部材(35)を分離ユニット(2)から取り外して装着する。
【００１９】
本発明によれば、所定の演出装置及び演出制御基板(60)を非交換部品とすることによって、交換部品をよりコンパクトにでき、機種交換にかかる労力及び費用を削減することができるとともに、データ格納部材(35)の装着を容易かつ確実に行うことができる。
なお、前記ガイド板(73)を回動させるための操作手段(72)を設けると好適である。
【発明の効果】
【００２０】
本発明は、以上のように構成されているので、以下のような効果を奏する。
すなわち、請求項１及び２記載の発明によれば、制御基板に装着されるＲＯＭカセット等のデータ格納部材のみを交換する際に、容易かつ確実に交換を行うことができる制御基板ユニットを提供することができる。
また、請求項３記載の発明によれば、上記した請求項１記載の制御基板ユニットを備えた遊技機を提供することができる。
【発明を実施するための最良の形態】
【００２１】
本発明を実施するための最良の形態を、遊技機としてスロットマシンを例に、図面に基づき説明する。
（図面の説明）
図１乃至図１１は、本発明の実施の形態を示すものである。
図１及び図２はスロットマシンＳの斜視図、図３は交換ユニット２の斜視図、図４乃至図７はＲＯＭカセット装着ガイド70を示す斜視図、図８はＲＯＭカセット35の斜視図、図９乃至図１１はＲＯＭカセット35の装着手順を示す図である。
本実施の形態におけるスロットマシンＳは、図２に示すように、大きく分けて、正面側に開口部11を有する筐体１、筐体１の開口部11を開閉可能に塞ぐ前扉３、前扉３に着脱自在に取り付けられ前扉３を閉めた状態で筐体１内部に収納される交換ユニット２とから構成されている。
【００２２】
（筐体１）
筐体１は、図２に示すように、底板15及び側板16及び天板17及び裏板18からなる前面（遊技者と対峙する正面）側に開口部11を有する箱体であり、二つの側板16の間の高さ方向略中央部には水平方向に中板12が設けられている。そして、底板15には、電源ユニット４及びホッパーユニット５が設置されており、正面左側の側板16には、前扉３を係合させ、回転自在に支持するためのヒンジ19が、上下方向に間隔をおいて二つずつ設けられている。
ここで、前記電源ユニット４は、特に図示しないが電源装置が内装されていると共に、ホール管理者が種々の設定を行うためのスイッチ等を有しているものである。前記ホッパーユニット５は、メダルを貯留可能であるとともに入賞時等にメダルを払い出すためのものである。
【００２３】
そして筐体１は、スロットマシンＳの機種交換に際して、遊技場に設置したままにしておけるものである。
（前扉３）
前扉３は、筐体１の開口部11を塞ぐための板状の扉体であり、筐体１の側板16に回転自在かつロック可能に形成されているものである。
具体的には、図１に示すように、扉体の骨格を成す扉枠40の高さ方向略中央部に、正面側に張り出すカウンター状の操作部42が設けられ、扉枠40の下端にはホッパーユニット５から払い出されたメダルを貯めておくことができる下皿45が形成されている。また、前記操作部42と下皿45の間には、遊技内容その他の表示をするための下パネル44が嵌め込まれており、扉枠40の上部には、動画等により種々の演出表示を行うための液晶表示装置48と、ランプ等の電飾を含む飾り部49が設けられている。さらに、前記操作部42の上側には、後述するリールユニット２を前扉３に固定した状態で、リールユニット２に設けられたパネルユニット30の正面パネル31を見ることができる透視部41が形成されている。
【００２４】
ここで、前記透視部41は、本実施の形態においては、図２に示すように、扉枠40の正面側から背面側に貫通する開口部として形成されている。なお、前扉３の正面側から背面側を透視可能であれば、透視部41は開口部でなくともよい。例えば扉枠41に形成された開口部を透明なアクリル板で塞いである構成としてもよい。また、図示した例では、透視部41は、前扉３に装着した交換ユニット２のパネルユニット30のほぼ全面を視認可能な大きさに形成されているが、少なくともパネルユニット30の図柄表示窓31が視認可能であればよい。
前記操作部42には、図１に示すように、上面右端にはメダル投入口43が設けられているとともに、スロットマシンＳを作動させるための操作スイッチとして、上面左側にはベットスイッチ42A、正面側にはスタートスイッチ42B及びストップスイッチ42C及び精算スイッチ42Dが設けられている。ここで、ベットスイッチ42Aは、クレジットとして貯留されているメダルをメダル投入に代えるためのものであり、スタートスイッチ42B及びストップスイッチ42Cは、リールユニット２に設けられた回転リール23（図２参照）の回転を開始及び停止させるためのものである。また精算スイッチ42Dは、クレジットを払い戻すためのものである。
【００２５】
なおスロットマシンＳは、メダルの投入又はベットスイッチ42Aの操作によりスタートスイッチ42Bの操作が有効となり、スタートスイッチ42Bの操作によって回転リール23が回転開始する。そして後述する主基板51により行われる当選判定の抽選結果が所定の当選役に当選している場合に、ストップスイッチ42Cの操作により当選図柄が入賞の態様となるように回転リール23を停止させることができると入賞となり、ホッパーユニット５からメダルが払い出されたり、ボーナスゲームなどの有利な遊技が開始されるようになっている。
前記下パネル44は、扉枠40に着脱自在に取り付けられており、内部には特に図示しない照明装置が設けられ、パネル部分を内側から照射するようになっている。パネル部分には、当該スロットマシンＳの名称や遊技方法、キャラクターの表示など、機種に対応した表示がなされている。
【００２６】
さらに、前扉３の裏側には、図２に示すように、前記メダル投入口43から投入されたメダルを誘導しながらメダルの正偽を判断するためのメダルセレクター46と、音声を出力するためのスピーカ47が設けられている。そして、下扉40を閉めると、ラッチ錠により自動的にロックされ、筐体１の開口部11が密閉されるものである。また、前記操作部42の正面右端に設けられた鍵穴40Aに所定の鍵を差し込んで回すと、下扉40のロックが解除されるようになっている。
そして、前扉３の裏面には、図２に示すように、所定の演出データを格納したＲＯＭを固定可能な演出制御基板ユニット60と、後述する交換ユニット２を装着したときに、交換ユニット２に搭載されているリール中継基板51（図３参照）と電気的に接続する前扉中継基板65とが設けられている。
【００２７】
前記演出制御基板ユニット60は、扉枠40の裏面上部（液晶表示装置48の裏側）に設けられた制御基板ユニットであり、前扉３に設けられたランプやスピーカ47、液晶表示装置48などの演出表示装置の表示を制御するためのものである。演出制御基板ユニット60は、図９（Ａ）に示すように、基板ケース61の内部に種々の電子部品を装着したプリント基板62を収納したものであり、演出表示装置全体の作動を制御するためのサブ基板ユニット60Aと、液晶表示装置48の表示を制御するための液晶制御基板ユニット60Bとから構成されている。
そして、サブ基板ユニット60A及び液晶制御基板ユニット60Bには、後述するＲＯＭカセット35を差し込むためのカセット挿入口61A（図４参照）が設けられている。カセット挿入口61Aは、基板ケース61の表面に形成された横長の長方形状の開口部であり、プリント基板62に設けられた基板コネクタ63の位置に対応させて形成されている。演出制御基板ユニット60は、このカセット挿入口61Aに演出データを記録したＲＯＭカセット35を差し込むことにより、機種に応じた演出表示を行わせることができるようになっている。
【００２８】
そして、本実施の形態においては、前記カセット挿入口61Aの近傍に、ＲＯＭカセット35の装着時にＲＯＭカセット35をカセット挿入口61Aに誘導するとともに、ＲＯＭカセット35を装着・固定するためのＲＯＭカセット装着ガイド70が設けられている。なお、ＲＯＭカセット装着ガイド70の詳細については後述する。
前記前扉中継基板65は、筐体１に据え置かれる非交換部品（電源ユニット４、ホッパーユニット５）及び非交換制御基板（サブ基板ユニット60A、液晶制御基板ユニット60B）と、交換ユニット２に搭載される交換部品（リールユニット20及びパネルユニット30）及び主基板ユニット50との電気的接続をするためのものである。前扉中継基板65は、操作部42の裏側に設けられており、後述するリール中継基板51と基板同士で接続可能に形成されている。すなわち、前扉中継基板65の外装部とリール中継基板51の外装部は接合可能な形状になっており、それらが接合することにより前扉中継基板65の端子部分とリール中継基板51の端子部分が接続されるようになっている。なお、前扉中継基板63の外装部を上下及び左右方向に位置移動可能に形成すると、交換ユニット２の装着の際、リール中継基板51との位置ずれや寸法誤差を吸収できて好ましい。
【００２９】
前扉３は、機種交換に際して、筐体１に残しておける。そして、交換ユニット２と下パネル44を交換することにより、異なる機種にも対応させることができるものである。
（交換ユニット２）
交換ユニット２は、図３に示すように、正面側及び一方の側面側が開放する側面視コ字型の箱状の支持体21と、支持体21に着脱自在に固定されたリールユニット20と、支持体21に水平方向に回動自在に取り付けられたパネルユニット30とから構成されている。
前記リールユニット20は、スロットマシンＳの主たる遊技装置であって、支持体21に収納されるリール枠22と、このリール枠22に支持された３個の駆動モータ（図示せず）と、各駆動モータの駆動軸にそれぞれ取り付けられ周囲に複数の図柄（図示せず）を表示した３個の回転リール23を有している。
【００３０】
そして、リールユニット20は、特に図示しないガイド手段（例えばガイドレール）により、支持体21の左右方向にスライド可能かつ前後方向には移動不能に支持されており、支持体21の側面開口から抜き出し及び収納可能に形成されている。そして、支持体21に収納固定した状態で、支持体21の正面開口から、回転リール23が３個並んで見えるようになっている。
前記支持体21の正面左側の側板正面には、特に図示しないがヒンジが設けられており、このヒンジにはパネルユニット30が取り付けられている。パネルユニット30は、図３に示すように、方形枠状のパネル枠33と、パネル枠33に取り付けられる正面パネル31とから構成されている。
【００３１】
前記正面パネル31は、パネルユニット30を前扉３に固定したとき扉枠40の透視部41の裏側に位置し、透視部41を裏面側から塞ぐパネル部材である。すなわち、正面パネル31の外形寸法は、透視部41の内径寸法よりもやや大きく形成されており、パネル枠33を扉枠40に固定すると、正面パネル31の正面が透視部41の縁部裏側に当接し、あるいは正面パネル31が透視部41に嵌り込み、透視部41を隙間無く塞ぐようになっている。
また、正面パネル31の正面中央部には、回転リール23の図柄を視認可能な図柄表示窓32が設けられている。図柄表示窓32は、正面パネル31に形成された透明な窓部である。そして、図柄表示窓32の周囲には、特に図示しないが、当選役の種類の表示や当該スロットマシンＳの名称、キャラクターなど、その機種に対応する表示がなされている。
【００３２】
なお、正面パネル31には、特に図示しないが、前記図柄表示窓32の他にも、例えば遊技回数や払い出しメダル数やクレジット数を表示するための表示部を設けてもよい。これらの表示部は、図柄表示窓32と同様の透明な窓部であって、正面パネル31の裏側に設けられた７セグメント表示器や液晶表示器の表示を正面側から見えるようにしたものとすることができる。
なお、前記パネル枠33の例えば側端部には、特に図示しないがパネルユニット30を扉枠40に固定するための固定部が設けられており、扉枠40に設けられた固定部と固定することによりパネル枠33を扉枠40に固定することができる。固定部はネジや、クリップやフックとすることができる。
【００３３】
そして、パネル枠33の上端部には、ＲＯＭカセット35を収納するための箱形のカセット収納部34が２個取りつけられている。ここで、ＲＯＭカセット35は、図８に示すように、演出データを記憶したＲＯＭチップ36を格納したケース部材であって、カセット本体の一方の側面には、接続用の端子を露出させたカセットコネクタ352が形成されている。ＲＯＭカセット35としては、ランプやスピーカ47等で表示させるための演出データを記憶したＲＯＭを格納するＲＯＭカセット35Aと、液晶表示装置48で表示させるための画像データを記憶したＲＯＭを格納する液晶用のＲＯＭカセット35Bの二つが設けられており、各ＲＯＭカセット35A,35Bは、それぞれ、カセット収納部34（カセット収納部34A,34B）に収納されている。
【００３４】
カセット収納部34は、図３に示すように、方形状の蓋付きの容器であって、蓋を開け閉めしてＲＯＭカセット35を出し入れすることができるようになっている。また、カセット収納部34はパネルユニット30に着脱自在に形成されており、交換ユニット２を前扉３に固定する際には、各カセット収納部34A,34Bから各ＲＯＭカセット35A,35Bを取り出し、カセット収納部34は取り外しておく。ＲＯＭカセット35は、ＲＯＭカセット装着ガイド70を用いてサブ基板ユニット60A及び液晶制御基板ユニット60Bのカセット挿入口61Aに装着させるようになっている。
さらに、交換ユニット２には、主基板ユニット50と、前扉３装着したときに、前扉３に設けられている前扉中継基板65と電気的に接続するリール中継基板51が設けられている。
【００３５】
ここで、主基板ユニット50は、当選か否かの当選判定の抽選を行うとともに、スタートスイッチ42B及びストップスイッチ42Cの操作に基づきリールユニット20の作動を制御するためのものであり、リール中継基板51と接続されている。主基板ユニット50の構成は、演出制御基板ユニット60と同様に、基板ケースにプリント基板が収納されたものである。
前記リール中継基板52は、前扉中継基板65と基板同士で接続させることにより、交換ユニット２に搭載されるリールユニット20及び主基板ユニット50と、筐体１に据え置かれる電源ユニット４及びホッパーユニット５及びサブ基板ユニット60A及び液晶制御基板ユニット60Bとの電気的接続をするためのものである。
【００３６】
なお、前記主基板ユニット50及びＲＯＭカセット35に格納された演出データは、機種ごとに異なるものであって、これらを変更することにより遊技内容及びそれに付随する演出が変更される。そして、交換ユニット２を交換することにより、遊技を行わせるためのソフト部分（主基板ユニット50等）とハード部分（リールの図柄配列等）が同時に交換されることとなる。
交換ユニット２は、前扉３に取り付けた状態で前扉３を閉じることにより、支持体21が筐体１の中板12の上方に収納される。そして、機種変更の際には、少なくとも交換ユニット２を交換することにより遊技内容が変更され、筐体１はそのままで新たな遊技機として使用できるものである。
【００３７】
（交換ユニット２の着脱）
以上のような構成を有するスロットマシンＳにおける交換ユニット２の着脱手順を説明する。
まず、交換ユニット２を前扉３に固定する場合には、最初にカセット収納部34からＲＯＭカセット35を取り出し、前扉３を開放して、ＲＯＭカセット35を演出制御基板ユニット60に装着する。なお、ＲＯＭカセット35の装着手順については後述する。ＲＯＭカセット35を取り出した後のカセット収納部34は用済みなので、取り外して廃棄するか、又は交換ユニット２の交換の際にＲＯＭカセット35を回収して収納するために、例えば筐体１の内部や支持体21の内部など所定の場所に保管しておく。ちなみに、交換ユニット２を前扉３に固定すると、ＲＯＭカセット装着ガイド70がカセット収納部34のあった場所に位置するようになっている。
【００３８】
次に、扉枠40の裏側から、交換ユニット２のパネルユニット30を透視部41に対向させて配置し（図２参照）、交換ユニット２を扉枠40の裏面凹部に押入してパネルユニット30で透視部41を塞ぐ。このとき、リール中継基板51が前扉中継基板65と接続される。この接続によって、交換ユニット２が前扉３に仮固定されるとともに、交換ユニット２の搭載部品と筐体１及び前扉３の設置装置とが電気的に接続される。
続いて、パネルユニット30の固定部と扉枠40の固定部（図示せず）とを固定する。このとき、支持体21を、筐体１の開口部11内部に戻る方向に回動させてパネルユニット30と支持体21の正面との間に空間を空けるようにすると作業が容易である。パネルユニット30を扉枠40に固定し、支持体21の正面開口21Aがパネルユニット30で塞がれるように支持体21を回動させて、パネルユニット30と支持体21を係止させる。支持体21は、前扉３の裏面側に突出した状態となる。
【００３９】
このようにして交換ユニット２を前扉３に固定し、そのまま前扉３を閉じれば、支持体21はその底面を中板12に支持されつつ筐体１の開口部11内部に収納され、前扉３が完全に閉じられたときには、中板12の上面に載置された状態となる。また前扉３の透視部41には、パネルユニット30の正面パネル31が表出する。透視部41と正面パネル31との間は前後方向の隙間が生じることなくぴったりくっついている。なお、前扉３の開閉の際に、支持体21と中板12との間の摩擦抵抗を無くすよう、支持体21の底面にキャスターを設けると好適である。また、透視部41の周囲に、正面パネル31との間に隙間を作らせないためのパッキンを貼付しておいてもよい。
【００４０】
一方、前扉３に固定されている交換ユニット２を取り外す場合には、前扉３を開いて交換ユニット２を筐体１から露出させ、パネルユニット30と扉枠40との固定を解除する。前述したように、このとき支持体21とパネルユニット30との係合を解除して、支持体21の正面側を開放させてもよい。それから、交換ユニット２を扉枠40の裏面方向に引き出せば、リール中継基板52と前扉中継基板65との接続が解除され、交換ユニット２を分離することができる（図２参照）。その後、ＲＯＭカセット35を演出制御基板ユニット60から取り外す。
（ＲＯＭカセット装着ガイド70）
ここで、ＲＯＭカセット装着ガイド70について詳細に説明する。
【００４１】
ＲＯＭカセット装着ガイド70は、図２に示すように、前扉３の裏面に固定された演出制御基板ユニット60の表面に取り付けられる装置であって、図４に示すように、演出制御基板ユニット60の基板ケース61に形成されたカセット挿入口61Aの近傍に固定される支持部材71と、支持部材71にピン75を介して前後方向に回動可能に取り付けられるスライドレバー72と、スライドレバー72とともに支持部材71に取り付けられ、スライドレバー72と同時に回動するガイドプレート73を備えている。
前記支持部材71は、図５に示すように、カセット挿入口61Aの下側及び横側を囲むように設けられた凹型部材であり、カセット挿入口61Aの下側から正面側に水平方向に張り出した板状の水平部71Aと、水平部71Aの両側端部から上方に立ち上がる二つの立設片71Bを備えている。そして、相対向する二つの立設片71Bには、スライドレバー72及びガイドプレート73を取り付けるための軸孔71Cが形成されている。
【００４２】
前記スライドレバー72は、図４に示すように、支持部材71の立設片71Bの内側に取り付けられる門型のレバーであり、図６に示すように、横長直方体形状の取手部72Aと、取手部72Aの両端部から直角に突設された二つの板状のアーム部72Bを有している。相対向する二つのアーム部72Bには、取手部72Aと反対側の端部に、アーム部72Bの厚さ方向に貫通する軸孔72Dが形成されているとともに、軸孔72Dの端部側には、スライドレバー72の中心方向に突出する角突起72Cが設けられている。
また、アーム部72Bの長さは、支持部材71の奥行き寸法よりも長く形成されており、立設片71Bにスライドレバー72を取り付けた状態で、取手部72Aを上側に回動させる（図４（Ａ）参照）と、取手部72Aが立設片71Bの上端よりも上側となり、取手部72Aを下側に回動させる（図４（Ｂ）参照）と、取手部72Aが水平部71Aの前端よりも手前側になるように形成されている。すなわち、スライドレバー72は、支持部材71に取り付けた状態で、取手部72Aを上側から下側、及び下側から上側に操作することができるようになっている。
【００４３】
前記ガイドプレート73は、図４に示すように、前記スライドレバー72のアーム部72Bの内側に取り付けられる円板状の部材であり、図７に示すように、中心部に軸孔73Aを有している。また、ガイドプレート73の円板面には、前記軸孔73Aを挟んで一方側に略Ｓ字型のガイド溝73Bが、他方側には長方形状の角穴73Cがそれぞれ形成されている。
前記ガイド溝73Bは、軸孔73Aの近傍に形成された円弧部Ｓと、円弧部Ｓに連続しガイドプレート73の円周面に向かって軸孔73Aから離れる方向にほぼ直線状に形成された直線部Ｔと、直線部Ｔからガイドプレート73の円周面に連続する開放部Ｕとから構成されている。そして、このガイド溝73Bは、前述したロムカセット35の円柱突起351を嵌入可能となっている。なお、ガイド溝73Bは、図示したようなガイドプレート73の円板面を貫通して形成された溝であってもよいし、ガイドプレート73の円板面の片面に設けられた円柱突起351と係合可能な凹溝であってもよい。
【００４４】
前記角穴73Cは、スライドレバー72のアーム部72Bに設けられた角突起72Cと嵌合可能に形成されており、ガイドプレート73をアーム部72Bに固定するためのものである。
上記構成を有するスライドレバー72及びガイドプレート73を支持部材71に取り付ける場合には、支持部材71の立設片71Bの内側にスライドレバー72のアーム部72Bを配置し、アーム部72Bの内側にガイドプレート73を設置する。このとき、アーム部72Bの角突起73Cをガイドプレート73の角穴73Cに嵌合させ、アーム部72Bとガイドプレート73を一体化させる。そして、立設片71Bの外側から、ピン75を、立設片71B軸孔71C、アーム部72Bの軸孔72D、ガイドプレート73の軸孔73Aに貫通させ、ピン75のガイドプレート側（内側）端部にＥリング74を取り付けて固定する。アーム部72Bは立設片71Bとガイドプレート73に挟まれて固定され、スライドレバー72は上下方向に回動自在に支持部材71に取り付けられる。また、ガイドプレート73はスライドレバー72のアーム部72Bと一体で前後方向に回動可能となる。
【００４５】
（ＲＯＭカセット35の着脱）
次に、ＲＯＭカセット35の着脱手順を詳述する。
まず、ＲＯＭカセット35を装着する場合について述べる。
ＲＯＭカセット装着ガイド70は、ＲＯＭカセット35を装着していないときには、図４（Ａ）に示すように、スライドレバー72が上側に回動（取手部72Aが上側に位置）した状態となっており、二つのガイドプレート73の間にカセット挿入口61Aが表出している。また、ガイドプレート73のガイド溝73Bは、開放部Ｕ（図７参照）が手前側（着脱操作をする作業者からみて手前側）となる配置になっている。
【００４６】
ここで、カセット挿入口61Aの内部には、図９（Ａ）に示すように、プリント基板62に設けられた基板コネクタ63が位置している。基板コネクタ63は、ＲＯＭカセット35のカセットコネクタ352（図８参照）に挿入可能な雄コネクタであって、プリント基板62の搭載部品と接続されており、カセットコネクタ352と接合することにより、基板コネクタ63の端子とカセットコネクタ352の端子が接触して、ＲＯＭチップ36に記憶された演出データが読み取り可能となるものである。
さて、ＲＯＭカセット35を装着する際には、ＲＯＭカセット35を水平状態にしてカセットコネクタ352をカセット挿入口61Aに向け、左右に突出している円柱突起351をガイドプレート73のガイド溝73Bの開放部Ｕに正面側から係合させる。このようにＲＯＭカセット35をセットすると、押入側（カセットコネクタ352側）端部がカセット挿入口61Aに挿入される。そしてＲＯＭカセット35は、押入側端部がカセット挿入口61Aの下縁部に支持され、円柱突起351が開放部Ｕの下縁部に支持されることにより、ほぼ水平状態に保持される。なおこのとき、カセットコネクタ352と基板コネクタ63とは接触していない（図９参照）。
【００４７】
次に、図１０（Ａ）に示す白矢印方向にスライドレバー72を倒す（下側に回動させる）と、ガイドプレート73はスライドレバー72と一体で回動し、ガイド溝73Bの開放部Ｕが下側に移動する。ガイドプレート73の回動に伴い円柱突起351には押し下げ力がかかり、ＲＯＭカセット35の押入側（カセットコネクタ352側）には上方に回動する力が働くが、ＲＯＭカセット35の押入側上面がカセット挿入口61Aの上縁部によって上方への移動を阻止されるので、押入側が上方に回動することはなく、ほぼ水平位置を保持したままである。また、直線部Ｔは徐々にガイドプレート73の中心部（ピン75、軸孔73A）に近づくように形成されているので、ガイド溝73Bの位置移動により、円柱突起351がガイド溝73Bの内部において直線部Ｔから円弧部Ｓの方に誘導される。これにより、ＲＯＭカセット35はカセット挿入口61A側に引き寄せられ（図１０（Ｂ）参照）、図１０（Ａ）に示すように、基板コネクタ63がカセットコネクタ352の凹部に挿入される。
【００４８】
さらに、スライドレバー72を回動させると、図１１（Ａ）に示すように、アーム部72Bの下面が支持部材71の水平部71Aに当接し、スライドレバー72は手前側が水平よりもやや下方に回動した位置で停止する。このとき、円柱突起351はガイド溝73Bの円弧部Ｓの位置となり（図１１（Ｂ）参照）、カセットコネクタ352と基板コネクタ63が完全に接続される。そしてＲＯＭカセット35は、図４（Ｂ）に示すように、基板ケース61の正面側に装着された状態となる。この状態においては、スライドレバー72の取手部72AがＲＯＭカセット35の手前側に位置しており、図１１（Ｂ）に示すように円柱突起351がガイド溝73Bによって前後方向に移動を禁止されているため、ＲＯＭカセット35をカセット挿入口61Aから引き抜くことができない。
【００４９】
ＲＯＭカセット35を取り出すには、図１１（Ａ）及び図１０（Ａ）に示す黒矢印の方向にスライドレバー72を持ち上げ（上側に回動させ）れば、ガイド溝73Bの位置移動に伴い円柱突起351が開放部Ｕの方に誘導され、ＲＯＭカセット35はカセット挿入口61Aから離れる方向に移動する。これによって基板コネクタ63とカセットコネクタ352の接続が解除される。さらにスライドレバー72を回動させて、スライドレバー72のアーム部72Bを垂直状態に戻すと（図９（Ａ）参照）、開放部Ｕが手前側に位置して円柱突起351が前方向に移動可能となるので（図９（Ｂ参照））、ＲＯＭカセット35を取り出すことができる。
なお、ＲＯＭカセット35を装着したら、図４（Ｂ）に示すように、カシメフック80により支持部材71とスライドレバー72を封印してスライドレバー72を固定し、みだりにＲＯＭカセット35の着脱ができないようにするとよい。
【００５０】
このように、本実施の形態によれば、前扉３に、下パネル44を着脱自在にしてあるとともに、リールユニット20とパネルユニット30を一体化した交換ユニット２を着脱自在としてあるので、機種交換の際、前扉３において新機種に対応させるために最低限必要な部材のみを交換することができる。すなわち、前扉３に設けられているランプや液晶表示装置48など、機種交換の度に取り替える必要のない装置を筐体側に据え置くことができ、交換部品をより少なくすることができ、機種交換の際のコストを軽減することができる。
また、本実施の形態では、演出制御基板ユニット60（サブ基板ユニット60A及び液晶制御基板ユニット60B）を筐体側に据え置き、演出データを記憶したＲＯＭだけを交換するようにしたので、交換部品をより少なくすることができるとともに、ＲＯＭカセット35を交換ユニット２に取り付けておくことにより、カセットの紛失や付け間違いなどを防ぐことができる。さらに、交換ユニット２と前扉３との電気的接続を、リール中継基板51と前扉中継基板65の接続のみで完了させるようにしてあるので、ハーネスの接続など面倒な作業を行う必要がない。
【００５１】
そして、本実施の形態によれば、演出制御基板ユニット60にはＲＯＭカセット装着ガイド70が設けてあり、このＲＯＭカセット装着ガイド70は、ガイド溝73Bが形成されたガイドプレート73にＲＯＭカセット35を保持させ、スライドレバー72を操作することによりＲＯＭカセット35がスライド移動して、カセットコネクタ352と基板コネクタ63が接続されるようになっている。すなわち、レバー操作によってＲＯＭカセット35が接続のための適位置に誘導されるので、装着時に端子部分を損傷することなく確実にＲＯＭカセット35を取り付けることができる。また、レバーの回転力でＲＯＭカセット35を着脱にするため、余計な力をかけず容易に着脱作業を行うことができるとともに、データ格納部材35に均等に力がかかるので、コネクタが斜めに接合して端子の接続不良を起こすこともない。
【００５２】
なお、本実施の形態においては、上側に位置しているスライドレバー72を下側に回動させることによりガイドプレート73に支持されたＲＯＭカセット35が演出制御基板ユニット60に装着されるように形成してあったが、逆に、下側に位置しているスライドレバー72を上側に回動させることによりＲＯＭカセット35を装着するように形成してもよい。これは、ガイドプレート73のガイド溝73Bの形状を、上記した実施の形態におけるガイド溝73Bと同様の溝が水平軸に対して対称に位置しているものとすればよい。このように形成した場合には、ＲＯＭカセット35を設置するときスライドレバー72の取手部72Aが干渉しないようアーム部72Bの長さを長くするか、取手部72Aを無くして二つのアーム部72Bを同時に操作するように形成する必要があるが、ＲＯＭカセット35の装着完了時には取手部72A及びアーム部72Bは基板ケース61の表面に平行となり前方には突出しないので、交換ユニット２を前扉３に装着する時には邪魔にならない。
【００５３】
さらに、本実施の形態では、ガイドプレート73が前後方向に回動することでＲＯＭカセット35をカセット挿入口61A側に移動させるように形成してあったが、本発明には、ガイドプレート73が左右方向に回動するように形成したものも含まれる。すなわち、図１２に示すように、基板ケース61に縦長のカセット挿入口61Aを形成し、カセット挿入口61Aの上下の端部付近に手前側に張り出す支持部材71を設け、この支持部材71にスライドレバー72及びガイドプレート73を取り付ける。そして、ＲＯＭカセット35を垂直状態にして円柱突起351をガイドプレート73のガイド溝73Bに係合させ、スライドレバー72を手前側に引く（手前側に回動させる）ことにより、ＲＯＭカセット35が演出制御基板ユニット60に装着される。
【００５４】
なお、上記例において、ＲＯＭカセット35の非装着時にスライドレバー72が手前側又は図１２に示した側と反対側に位置するようにし、スライドレバー72を奥側に又はカセット挿入口61Aを挟んだ反対側まで回動させることによりＲＯＭカセット35が装着されるようにしてもよい。要は、ＲＯＭカセット35の非装着時にガイド溝73Bの開放部Ｕが手前側に位置しており、これに円柱突起351を係合させてガイドプレート73をいずれかの方向に回動させることにより、ＲＯＭカセット35がカセット挿入口61A側に移動してカセットコネクタ352と基板コネクタ63が接続されるように形成されていればよい。
ところで、本実施の形態におけるスロットマシンＳは、演出制御基板ユニット60としてサブ基板ユニット60A及び液晶制御基板ユニット60Bが設けてあり、各基板にＲＯＭカセット装着ガイド70を設けたものとしてあったが、例えば液晶表示装置48を備えていないスロットマシンの場合には、演出装置の作動を制御する演出制御基板ユニット60を一つ設け、それにＲＯＭカセット装着ガイド70を設けるようにすることができる。
【００５５】
また、本実施の形態におけるスロットマシンＳは、前扉３が一枚扉として形成してあったが、前扉３を、筐体１の開口上部を塞ぐ上扉と、開口下部を塞ぐ下扉とに分割してもよい。この場合、上扉と下扉は少それぞれ筐体１にロック可能とし、下扉を開放しないと上扉を解錠及び開放することができない構成とするのが好適である。また、前扉中継基板65は、下扉のみを開放する場合にリール中継基板51との接続を解除させないために、上扉に取り付ける。このように形成した場合には、ホッパーユニット５へのメダル補給やメダルセレクター46のメダル詰まりなどで前扉３を開放する必要がある場合、下扉だけ開放すれば事足りる。すなわち、重量のある交換ユニット２を筐体１に残したまま（支持部材としての中板12に支持させたまま）にしておけるので、前扉３と筐体１との間に隙間ができることがないとともに、主基板51を外部に晒すことがないのでセキュリティ上も好ましい。
【００５６】
さらに、本実施の形態におけるスロットマシンＳは、交換ユニット２にパネルユニット30を設けて、パネルユニット30を前扉３に取り付けることにより交換ユニット２が前扉に固定されるように形成してあったが、スロットマシンＳとしてはこのような構成に限られない。例えば、特に図示しないが、パネルユニット30を備えた交換ユニット２を筐体１に着脱自在に形成するとともにパネルユニット30を前扉３に固定し、前扉３の開閉動作と同時にパネルユニット30が開閉するように形成してもよい。あるいは、交換ユニット２にパネルユニット30を設けず、支持体21にリールユニット20と主基板ユニット50を搭載した交換ユニット２を、筐体１に着脱自在とし、前扉３の正面パネルを交換可能に形成したものでもよい。
【図面の簡単な説明】
【００５７】
【図１】本発明の実施の形態であって、スロットマシンの外観斜視図である。
【図２】本発明の実施の形態であって、スロットマシンの分解斜視図である。
【図３】本発明の実施の形態であって、交換ユニットの斜視図である。
【図４】本発明の実施の形態であって、ＲＯＭカセット装着ガイドの斜視図である。
【図５】本発明の実施の形態であって、ＲＯＭカセット装着ガイドの分解斜視図である。
【図６】本発明の実施の形態であって、スライドレバーの斜視図である。
【図７】本発明の実施の形態であって、ガイドプレートの斜視図である。
【図８】本発明の実施の形態であって、ＲＯＭカセットの斜視図である。
【図９】本発明の実施の形態であって、ＲＯＭカセットの着脱手順を示す断面図である。
【図１０】本発明の実施の形態であって、ＲＯＭカセットの着脱手順を示す断面図である。
【図１１】本発明の実施の形態であって、ＲＯＭカセットの着脱手順を示す断面図である。
【図１２】本発明の他の実施の形態であって、ＲＯＭカセット装着ガイドの斜視図である。
【符号の説明】
【００５８】
Ｓ  スロットマシン（遊技機）
１  筐体                            ２  交換ユニット（分離ユニット）
３  前扉                            ４  電源ユニット（非交換部材）
５  ホッパーユニット（非交換部材）
11  開口部                          12  中板
13  開口上部                        14  開口下部
15  底板                            16  側板
17  天板                            18  裏板
19  ヒンジ
20  リールユニット（交換部材）      21  支持体
22  リール枠                        23  回転リール
25  ヒンジ
30  パネルユニット                  31  正面パネル
32  図柄表示窓                      33  パネル枠
34  カセット収納部                  35  ＲＯＭカセット（データ格納部材）
351  円柱突起（突起）               352  カセットコネクタ（外部接続部）
36  ＲＯＭチップ（記憶装置）
40  扉枠                            41  透視部
42  操作部                         42A  ベットスイッチ
42B  スタートスイッチ               42C  ストップスイッチ
42D  精算スイッチ                    43  メダル投入口
44  下パネル                        45  メダル皿
46  メダルセレクター                47  スピーカ
48  液晶表示装置
50  主基板ユニット                  51  リール中継基板
60  演出制御基板ユニット            61  基板ケース（外装箱）
61A  カセット挿入口（挿入口）        62  プリント基板（基板）
63  基板コネクタ（基板接続部）      65  前扉中継基板
70  ＲＯＭカセット装着ガイド        71  支持部材
71A  水平部                         71B  立設片
71C  軸孔
72  スライドレバー（操作手段）     72A  取手部
72B  アーム部                       72C  角突起
72D  軸孔
73  ガイドプレート（ガイド板）     73A  軸孔
73B  ガイド溝                       73C  角孔
74  Ｅリング                        75  ピン
80  カシメフック
【図１】
2008272279.tif 000003
【図２】
2008272279.tif 000004
【図３】
2008272279.tif 000005
【図４】
2008272279.tif 000006
【図５】
2008272279.tif 000007
【図６】
2008272279.tif 000008
【図７】
2008272279.tif 000009
【図８】
2008272279.tif 000010
【図９】
2008272279.tif 000011
【図１０】
2008272279.tif 000012
【図１１】
2008272279.tif 000013
【図１２】
2008272279.tif 000014